(57)【特許請求の範囲】
【請求項１】
本体と、この本体に設けられた紙幣投入口の後方に配置された紙幣識別装置とを備え、前記紙幣識別装置は、前記紙幣投入口に連通された紙幣挿入口と、この紙幣挿入口から流入した紙幣の識別を行う識別部と、この識別部の下流に設けられた前記紙幣の収納部とを有し、前記紙幣挿入口と前記収納部との間に前記紙幣投入口の延長線上に対向して補強板を設けるとともにこの補強板には前記紙幣投入口から与えられる外力により、前記収納部を覆うように屈曲する屈曲部が設けられた自動販売機。
【請求項２】
屈曲部は、補強板の外周端から内方へ切り込みを設けることによって形成された請求項１に記載の自動販売機。
【請求項３】
補強板の後方に検知手段を設け、前記補強板の屈曲時には、この検知手段により警報手段を動作させる請求項１に記載の自動販売機。
【請求項４】
補強板は金属を打ち抜いて形成するとともに、この打ち抜き方向に収納部が形成された請求項１に記載の自動販売機。
【発明の詳細な説明】
【０００１】
【発明の属する技術分野】
本発明は、自動販売機に関するものである。
【０００２】
【従来の技術】
以下従来の技術について説明する。従来の自動販売機は、図３に示すように紙幣投入口１から紙幣を投入し、希望する商品の選択スイッチ２を操作し、商品取り出し口３から選択された商品を取り出していた。この自動販売機において、紙幣投入口１から投入された紙幣は、自動販売機内部における紙幣識別装置において識別される様になっている。さて、上記自動販売機の紙幣投入口１から投入された紙幣はこの紙幣投入口１に連通して設けられた紙幣識別装置の紙幣挿入口を経て識別部で判定された後、収納部に順次整列収納されるようになっていた。
【０００３】
【発明が解決しようとする課題】
しかしながら、この収納部は前記紙幣投入口１の延長線上に配置されているため、前記紙幣投入口１から例えばドライバーのようなものを挿入して、前記紙幣投入口１やその後方の構造物を破壊すると、この構造物の後方に整列収納されている紙幣群が露出することになる。従って前記紙幣投入口１から紙幣がつまみ出されるという可能性を有していた。
【０００４】
本発明は、このような問題点を解決するためのもので、収納されている紙幣の盗難防止性を向上させた自動販売機を提供することを目的としたものである。
【０００５】
【課題を解決するための手段】
この目的を達成するために本発明の自動販売機は、紙幣挿入口と収納部との間に紙幣投入口の延長線上に対向して補強板を設けるとともにこの補強板には前記紙幣投入口から与えられる外力により、前記収納部を覆うように屈曲する屈曲部が設けられたものである。これにより紙幣の盗難防止性が向上する。
【０００６】
【発明の実施の形態】
本発明の請求項１に記載の発明は、紙幣挿入口と収納部との間に前記紙幣投入口の延長線上に対向して補強板を設けるとともにこの補強板には前記紙幣投入口から与えられる外力により、前記収納部を覆うように屈曲する屈曲部が設けられた自動販売機としたものであり、たとえ紙幣投入口からドライバーのようなものを押し込まれたとしても、整列収納されている前記収納部の紙幣は前記補強板により覆い隠される。また、たとえ前記補強板に孔を開けようとしても、この孔を開けるときの押圧力によっても前記補強板は屈曲部より折れ曲がり前記収納部を保護するため、紙幣の盗難防止性を向上させることができる。
【０００７】
請求項２に記載の発明は、屈曲部を補強板の外周端から内方へ切り込みを設けることによって形成された請求項１に記載の自動販売機であり、形状が簡単なため安価にできるだけでなく、曲がり具合の調整を切り込みの度合で簡単に行えるため、紙幣の盗難防止性を向上させることができる。
【０００８】
請求項３に記載の発明は、補強板の後方に検知手段を設け、この検知手段により警報手段を動作させる請求項１に記載の自動販売機であり、補強板が後方へ倒れ込んだことを検知し、盗難行為が行われていることを外部に知らせることができるため、紙幣の盗難防止性をさらに向上させることができる。
【０００９】
請求項４に記載の発明は、補強板は金属を打ち抜いて形成するとともに、この打ち抜き方向に収納部が形成された請求項１に記載の自動販売機である。従って、これにより紙幣識別装置を外側から触れたとしても、バリの方向は内側であるため、バリによってけがをすることはなく、また外観上の美観が向上する。
【００１０】
以下、本発明の実施の形態について図面を用いて説明する。図１において１１は自動販売機の前面パネルであり、この前面パネル１１には紙幣投入口１２が設けられている。１３は紙幣識別装置であり、前面パネル１１の後方に装着されている。１４は紙幣識別装置１３に設けられた紙幣挿入口であり、この紙幣挿入口１４は自動販売機に設けられた紙幣投入口１２に連結している。紙幣識別装置１３の紙幣挿入口１４には紙幣通路１５が連結されており、この紙幣通路１５は一度上方に向かった後逆Ｕ字形に屈曲し、その出口は紙幣１８を整列収納する収納部１６に連結している。また、前記紙幣通路１５の途中であって、逆Ｕ字部の略頂点には識別部１７が設けられており、紙幣挿入口１４から挿入された紙幣の真偽を識別している。１９は紙幣識別装置１３の前面に設けられた、金属製の補強板である。この補強板１９は紙幣通路１５の逆Ｕ字部の頂点近傍まで延在しており、自動販売機に設けられた紙幣投入口１２から収納部１６を隠すように設けられている。
【００１１】
また、この補強板１９には図２に示すように、紙幣挿入口１４の下方であって補強板１９の両端から内方に向かって切り込み２０を設け、屈曲部２１を形成している。従って、もし紙幣投入口１２からドライバーを挿入したとしても、この補強板１９が屈曲部２１で屈曲し、収納部１６を覆うように倒れ込むことになり、収納部１６に収納された紙幣１８が自動販売機の外部に露出することはなく、紙幣盗難防止性の向上となる。尚、この屈曲部２１の幅は、補強板１９の幅の４分の１から２分の１程度が望ましく、本実施の形態では、３分の１程度にしている。
【００１２】
また、図１における２２は検知手段としてのスイッチである。このスイッチ２２の押下により、警報手段（図示せず）を作動させるように設けられている。従って、補強板１９に外力が加わって変形が起きるとその変形を検知し、警報手段であるブザーが鳴動するようになっている。尚、この警報装置は光で警報するようにしてもよい。また、検知手段はスイッチの他に光センサあるいはコイル等でもよい。
【００１３】
また、この補強板１９は金型で打抜いて作られている。この場合重要なことはこの抜き方向に収納部１６を設けることである。このことによりたちえ打ち抜きによってバリが形成されたとしても、紙幣識別装置１３を外側から触れてけがをしないようにしている。また、これは紙幣識別装置１３の外観の美観にも寄与する。尚、この補強板１９は紙幣識別装置１３の外装部品と一体成形することで、組立作業性の向上を図ることができる。
【００１４】
【発明の効果】
以上のように本発明によれば、自動販売機の紙幣投入口と紙幣識別装置の収納部との間に前記紙幣投入口の延長線上に対向して補強板を設けるとともにこの補強板には前記紙幣投入口から与えられる外力により、前記収納部を覆うように屈曲する屈曲部を設けたため、たとえ前記紙幣投入口からドライバーのようなものが押し込まれたとしても、整列収納されている紙幣の上方に補強板が倒れ込みこの紙幣を覆い隠すようになるため、紙幣の盗難防止性が向上する。
【図面の簡単な説明】
【図１】本発明の一実施の形態による自動販売機の要部断面図
【図２】同、紙幣識別装置部分の正面図
【図３】従来の自動販売機の正面図
【符号の説明】
１１  前面パネル
１２  紙幣投入口
１３  紙幣識別装置
１４  紙幣挿入口
１６  収納部
１７  識別部
１８  紙幣
１９  補強板
２１  屈曲部
【図１】
0003804384.tif 000002
【図２】
0003804384.tif 000003
【図３】
0003804384.tif 000004